(57)【要約】【課題】摩耗した部分を交換できて経済性を改善できるタッチ押しローラーを提供すること。【解決手段】ホイールシャフト２１と、ローラー２０からなり、ローラー２０はホイールシャフト２１に嵌められ、ローラー２０は複数のローラーユニット３０からなり、かつ相対的に軸接続が可能に構成する。【選択図】図６
0003121536.tif 000002
【実用新案登録請求の範囲】
【請求項１】
ディスプレーモニターのガラス基板の運送設備用のタッチ押しローラーであって、
ホイールシャフトと、ローラーからなり、
ローラーはホイールシャフトに嵌められ、
ローラーは複数のローラーユニットからなり、かつ相対的に軸接続が可能に構成したことを特徴とする、
タッチ押しローラー。
【請求項２】
請求項１記載において、ローラーユニットはホイールハブ及びホイールハブの周縁にアセンブリされるホイールを含み、ホイールハブはホイールカップリング、複数のスポーク及びホイールフレームなど要素から形成され、ホイールフレームはホイールハブの中心に位置し、ホイールフレームはホイールカップリングと同心でホイールカップリングの外方に配置され、複数のスポークは等しい間隔距離で、放射状のように、ホイールカップリングとホイールフレームとの間に接続され、ホイールフレームの円周に囲繞するように設けられた溝槽にホイールを嵌め込み、ホイールカップリングの両端に、夫々軸接続のための第一結合部と第二結合部とを設け、一つのローラーユニットにおける軸接続の第一結合部をもう一つのローラーユニットにおける第二結合部に結合可能に構成したことを特徴とする、タッチ押しローラー。
【請求項３】
請求項２において、軸接続の第一結合部を構成するホイールカップリングのその一端の周縁の相対位置に嵌め溝を形成し、第二結合部を構成するイールカップリングの他端の周縁の相対位置に、それぞれ嵌めピンを形成したことを特徴とする、タッチ押しローラー。
【考案の詳細な説明】
【技術分野】
【０００１】
本考案はディスプレーモニターのガラス基板の運送設備に関し、より詳細には、ガラス基板の運送しているうちに、ガラス基板の表面に押圧しながらガラス基板を円滑に移送するタッチ押しローラー（運送ローラー）に関するものである。
【背景技術】
【０００２】
ディスプレーモニターのガラス基板の生産作業は機械設備で運送、移動する。ガラス基板の運送する際に、その上表面がタッチ押しローラーを介して適当的な圧力で接触されてガラス基板が円滑に運送される。
【０００３】
前記した従来のタッチ押しローラーを図１に示す。
従来のタッチ押しローラーは、相対向させた固定台座１２の間に所定の軸長を有するホイールシャフト１１が枢設されている。ホイール１０はホイールシャフト１１のに自由に回転できる。ガラス基板１３がタッチ押しローラーの下方を通過する際にホイール１０と接触してホイール１０が回転できる。
ガラス基板１３の表面を傷めないために、ホイール１０はゴム材料で作られている。ゴムの材料としては、例えばＥＰＤＭ、Ethylene-propylene-non-conjugated diene rubberが使用される。
【考案の開示】
【考案が解決しようとする課題】
【０００４】
前記したタッチ押しローラーにあっては、繰り返しの使用によりホイール１０が部分的に摩耗する。
長軸と一体化したホイール１０が局部的に摩耗すること、ガラス基板１３に押圧する圧力が非均等になって、ガラス基板１３の円滑な運送性に悪い影響を及ぼす。
局部的に摩耗したホイール１０は最終的に廃棄しなければならず、非経済的である。特に、ホイール１０が高価なゴム素材で作られている場合は、局部摩耗のためにローラー全部を廃棄して、新しいものと交換する必要があるために無駄が多い。
【０００５】
本考案は上記した先行技術の問題を改善するためになされたもので、その目的とするところは摩耗した部分を交換できて経済性を改善できるタッチ押しローラーを提供することにある。
さらに本考案の他の目的は、ガラス基板を摩耗させたり傷つけたりすることのないタッチ押しローラーを提供することにある。
【課題を解決するための手段】
【０００６】
本考案は先行技術の長軸を一体化したホイール１０の局部摩耗に伴う、全部の廃棄と、新たなものとの交換といった問題を改善するために解決策を提出するものである。本考案はその最良の手段として局部的に摩耗した部分を交換するものである。
【０００７】
前記の目的を達成するために、本考案のタッチ押しローラーはそのホイール本体が複数のローラーユニットをホイールシャフトに枢支して構成される。
一方、ローラーユニットはホイールハブ及びホイールとから構成される。
ホイールハブの中心に、ホイールカップリングがある。
ホイールカップリングはスポ―クを介して同心となるようにホイールフレームと接続する。
また、ホイールフレームの円周に囲繞して溝槽が設けられる。溝槽を介してホイールを嵌める。ホイールの外径がホイールフレームより大きいので、ホイールの円周面がガラス基板と接触する面になる。
【０００８】
すなわち、本願の第１考案は、ディスプレーモニターのガラス基板の運送設備用のタッチ押しローラーであって、ホイールシャフト２１と、ローラー２０からなり、ローラー２０はホイールシャフト２１に嵌められ、ローラー２０は複数のローラーユニット３０からなり、かつ相対的に軸接続が可能に構成されるということを特徴とする、タッチ押しローラーである。
本願の第２考案は、前記第１考案において、ローラーユニット３０はホイールハブ４０及びホイールハブ４０の周縁にアセンブリされるホイール５０を含み、ホイールハブ４０はホイールカップリング４１、複数のスポーク４２及びホイールフレーム４３など要素から形成され、ホイールフレーム４３はホイールハブ４０の中心に位置し、ホイールフレーム４３はホイールカップリング４１と同心でホイールカップリング４１の外方に配置され、複数のスポーク４２は等しい間隔距離で、放射状のように、ホイールカップリング４１とホイールフレーム４３との間に接続され、ホイールフレーム４３の円周に囲繞するように設けられた溝槽４３１にホイール５０を嵌め込み、ホイールカップリング４１の両端に、夫々軸接続のための第一結合部４４と第二結合部４５とを設け、一つのローラーユニット３０における軸接続の第一結合部４４をもう一つのローラーユニット３０における第二結合部４５に結合可能に構成したことを特徴とする、タッチ押しローラーである。
本願の第３考案は、前記第２考案において、軸接続の第一結合部４４を構成するホイールカップリング４１のその一端の周縁の相対位置に嵌め溝４４１を形成し、第二結合部４５を構成するイールカップリング４１の他端の周縁の相対位置に、それぞれ嵌めピン４５１を形成したことを特徴とする、タッチ押しローラーである。
【考案の効果】
【０００９】
本考案はタッチ押しローラーのホイール本体が主に複数のローラーユニットから相対的に軸接続可能に構成されるから、繰り返しの使用に伴ってその一部が摩耗しても、摩耗した範囲のローラーユニットを取り外し、取り外したローラーユニットのホイールのみを交換することができて、経済的である。
さらに本考案は、ホイールがフレキシビリティを有する材料で作られ、しかも、そのガラス基板の接触面が円弧状の外輪郭となるので、ガラス基板を摩耗させたり傷つけたりすることがない。
【考案を実施するための最良の形態】
【００１０】
以下、添付図面を参照して本考案の好適な実施の形態を詳細に説明する。
【００１１】
まずは図２乃至図６を基に説明する。
本考案に係るタッチ押しローラーのホイール２０は、ホイールシャフト２１に、ローラー２２を嵌めて形成する。その特徴はローラー２２が複数のローラーユニット３０で構成されていて、これら複数のローラーユニット３０が軸部で接続可能に形成されている。
【００１２】
ローラーユニット３０はホイールハブ４０及びホイールハブ４０の周縁にアセンブリされるホイール５０を含む。
【００１３】
ホイールハブ４０はホイールカップリング４１、複数のスポーク４２及びホイールフレーム４３など要素から形成される。
ホイールフレーム４１はホイールハブ４０の中心に設けられ、ホイールフレーム４３はホイールカップリング４１と同心に位置し、かつホイールカップリング４１の外周に配置される。
【００１４】
スポーク４２はホイールカップリング４１とホイールフレーム４３との間に等間隔等距離で放射状に接続される。
ホイールフレーム４３の外周面には囲繞するように溝槽４３１が設けられる。
【００１５】
ホイールカップリング４１の両端には、夫々軸接続をするための第一結合部４４と第二結合部４５とが形成されている。
図３に示すように第一結合部４４は、ホイールカップリング４１のその一端の周縁の相対位置に、夫々嵌め溝４４１を形成している。
図４に示すように第二結合部４５は、ホイールカップリング４１の他端の周縁の相対位置に、夫々嵌めピン４５１を形成している。
【００１６】
ホイール５０はPU（Polyurethane）等の軟らかいフレキシビリティの特徴を持つ材料で作られる環状体である。
【００１７】
図５に示すようにホイール５０の内径Ａは、ホイールフレーム４３の溝槽４３１の底部から構成される外径Ｂに等しいか、又はそれにより小さい。
ホイール５０の外周はガラス基板のタッチエッジ５２となる。
そんなガラス基板のタッチエッジ５２は円弧状の外輪郭を具有する。
ホイール５０の広さＥは少なくとも、上述の溝槽４３１の広さに等しい。
【００１８】
ホイール５０を上述の溝槽４３１にはめて、軟らかいフレキシビリティの特徴を有し、ホイール５０の内径Ａがホイールフレーム４３の溝槽４３１の底部から構成される外径Ｂに等しいか、又はそれにより小さく設定されているから、ホイール５０は適当な緊密程度で溝槽４３１に嵌められる。
ホイール５０の外径Ｃはホイールフレーム４３の外径Ｄより大きいので、ガラス基板のタッチエッジ５２はホイールフレーム４３の周囲範囲の外部に位置する。
【００１９】
図５、図６に基づいて説明する。
一つのローラーユニット３０における軸接続のための第一結合部４４はもう一つのローラーユニット３０における軸接続の第二結合部４５に結合することができる。
予定の数量のローラーユニット３０を相対的に、軸接続のように接続することでローラー２２が形成される。
ホイールシャフト２１をホイールカップリング４１に嵌めて枢設することで、ローラーユニット３０はホイールシャフト２１の上で、自由に回転することができる。
【００２０】
また、一つのローラーユニット３０が回転されると、軸接続のための第一、第二結合部４４、４５の接続を介して、他のローラーユニット３０も同期して回転される。
勿論、ホイールシャフト２１も先行技術の既知と同じように、運送設備の両側の向き合う固定台座の間に取り付けられる。
【００２１】
運送設備に移送されるガラス基板（図１参照）が本考案のローラー２２の下方を通過する際に、ローラー２２がガラス基板の接触面５２で、ガラス基板の上表面を均等に押圧するので、ガラス基板はスムーズに運送される。
ホイール５０がフレキシビリティを有する材料でつくられ、しかも、そのガラス基板の接触面５２が円弧状の外輪郭となるので、ホイール５０はガラス基板を削って傷めることがない。
【００２２】
ローラー２２の繰り返しの使用に伴い、ローラー２２の一部分が摩耗した場合は、ローラー２２が複数のローラーユニット３０で、相対的に軸接続するように構成されているので、摩耗した部分のローラーユニット３０を外し、外したローラーユニット３０のホイール５０だけを新しいものと交換するだけで済む。
先行技術と比べると、本考案は局部的な摩耗により、全体ローラーを交換する必要がなく利便で経済利益に適う。
【００２３】
ガラス基板の厚さは製品のニーズに応じて、異なる厚さに設計される。
上述の運送設備とローラー２２との間の距離を、最小厚さのガラス基板が通過できるようにさせる。
【００２４】
ホイール５０とガラス基板との接触部位が多少扁平に押されるが、ホイール５０は軟らかいフレキシビリティの特徴を持つ材料で作られるので、予想の範囲内において、上述の最小厚さより大きいガラス基板は依然として運送され、タッチ押しローラーの間を通過することができる。
そのときに、ホイール５０とガラス基板との接触する部位はもっと大きな程度に、押されて扁平する。
【００２５】
ちなみに、ホイール５０の広さがホイールフレーム４３の溝槽４３１の広さより大きいし、ホイール５０がホイールフレーム４３のエッジ４３２を遮り止めるので、ホイール５０とガラス基板との接触する部位は最大程度の扁平に至っても、ホイールフレーム４３がガラス基板に接触しないため、ホイールフレーム４３がガラス基板を削って傷めることを防止する。
【００２６】
図７を参照して説明する。同図はホイール５０のもう一つタイプの断面図である。
前記の実施の形態との唯一異なるのは、ホイール５０の広さＥ´が溝槽４３１の広さFより大きくしてあることで、そのためにホイール５０がホイールフレーム４３のエッジ４３２を遮り止める。
【図面の簡単な説明】
【００２７】
【図１】従来の既知のタッチ押しローラーの外観図である。
【図２】本考案に係るタッチ押しローラーの立体分解図を示す。
【図３】本考案のタッチ押しローラーの左前から視た外観図である。
【図４】本考案のタッチ押しローラーの右前から視た外観図である。
【図５】複数のローラーユニットを軸接続してローラーを構成する説明図である。
【図６】本考案の複数のローラーユニットを軸接続したローラーの断面図である。
【図７】ホイールの断面形状が異なる本考案の他の実施の形態に係るタッチ押しローラーの断面図である。
【符号の説明】
【００２８】
２０・・・・・タッチ押しローラー
４５・・・・・軸の接続の第一結合部
２１・・・・・ホイールシャフト            
４５１・・・・嵌めピン
２２・・・・・ローラー    
５０・・・・・ホイール
３０・・・・・ローラーユニット            
５２・・・・・ガラス基板の接触
４０・・・・・ホイールハブ
Ａ・・・・・・ホイール内径
４１・・・・・ホイールカップリング            
Ｂ・・・・・・溝槽の外径
４２・・・・・輪の幅    
Ｃ・・・・・・ホイールの外径
４３・・・・・ホイールフレーム            
Ｄ・・・・・・ホイールフレームの外径
４３１・・・・溝槽    
Ｅ・・・・・・ホイールの広さ
４３２・・・・ホイールフレームのエッジ
Ｅ´・・・・・ホイールの広さ
４４・・・・・軸の接続の第二結合部
Ｆ・・・・・・溝槽の広さ
４４１・・・・嵌め溝
【図１】
0003121536.tif 000003
【図２】
0003121536.tif 000004
【図３】
0003121536.tif 000005
【図４】
0003121536.tif 000006
【図５】
0003121536.tif 000007
【図６】
0003121536.tif 000008
【図７】
0003121536.tif 000009